(57)【特許請求の範囲】
【請求項１】
検体中の２本鎖ＤＮＡの分析方法であって、
（１）支持体上に固定された２本鎖ＤＮＡ認識物質と該検体とを接触させる工程、
（２）検体中の２本鎖ＤＮＡを支持体上に固定された２本鎖ＤＮＡ認識物質の方に向かわせるための電場を、該２本鎖ＤＮＡ認識物質が固定された支持体と該検体との間にかける工程、及び
（３）該２本鎖ＤＮＡ認識物質と結合した２本鎖ＤＮＡを測定する工程、
を含む上記の分析方法。
【請求項２】
検体中の２本鎖ＤＮＡの分析方法であって、
（１）支持体上に固定された２本鎖ＤＮＡ認識物質と該検体とを接触させる工程、
（２）検体中の２本鎖ＤＮＡを支持体上に固定された２本鎖ＤＮＡ認識物質の方に向かわせるための電場を、該２本鎖ＤＮＡ認識物質が固定された支持体と該検体との間にかける工程、
（３）工程（２）における電場とは逆向きの電場をかける工程、及び
（４）該２本鎖ＤＮＡ認識物質と結合した２本鎖ＤＮＡを測定する工程、
を含む上記の分析方法。
【請求項３】
２本鎖ＤＮＡ認識物質が２本鎖ＤＮＡ認識抗体である、請求項１又は２に記載の分析方法。
【請求項４】
２本鎖ＤＮＡ認識物質がＤＮＡ転写因子である、請求項１又は２に記載の分析方法。
【請求項５】
２本鎖ＤＮＡ認識物質がＺｎフィンガーモチーフまたはリングフィンガーモチーフをもつタンパク質である、請求項１又は２に記載の分析方法。
【請求項６】
２本鎖ＤＮＡ認識物質がペプチド核酸である、請求項１又は２に記載の分析方法。
【請求項７】
２本鎖ＤＮＡ認識物質と結合した２本鎖ＤＮＡを測定する工程において、反応系にＤＮＡ２本鎖を認識する挿入剤を添加し、該２本鎖ＤＮＡに挿入された挿入剤を検出することにより、該検体中の該２本鎖ＤＮＡを測定することを特徴とする、請求項１から６の何れかに記載の分析方法。
【請求項８】
該挿入剤がＤＮＡインターカレーターである、請求項７に記載の分析方法。
【請求項９】
該ＤＮＡインターカレーターが電気化学的活性を有し、該ＤＮＡインターカレーターを電気化学的手法により検出することにより、該検体中の該２本鎖ＤＮＡを測定する、請求項８に記載の分析方法。
【請求項１０】
ＤＮＡインターカレーターを、蛍光法、発光法または表面プラズモン法により検出する、請求項８に記載の分析方法。
【発明の詳細な説明】
【０００１】
【発明の属する技術分野】
本発明は、検体中に存在する２本鎖核酸（特には、２本鎖ＤＮＡ）を分析する方法に関し、検体中に存在する２本鎖核酸の存在量を定量する方法にも関する。また、本発明は、遺伝子解析に応用された場合、ＳＮＰ（Single Nucleotide Polymorphism）等の遺伝子多型の分析及び解析にも利用できる。また、本発明は、検体中に存在するウイルス、菌体などに由来する外来遺伝子群を検出する手法にも利用できる。
【０００２】
【従来の技術】
標的となる核酸試料、または標的核酸試料と相補的な塩基配列を含むＤＮＡまたはＲＮＡ断片である核酸プローブのいずれか一方を固相に固定し、これとの間でハイブリダイゼーション反応を行う方法は、１９７５年にE.M.Southernにより開発され、いわゆるサザンブロッティング法として多用されてきている(J.Mol.Biol 98,503(1975))。サザンブロッティング法では、核酸試料を電気泳動した後にニトロセルロースやナイロン膜などに固定し、相補的な配列をもつ核酸プローブと接触することになる。
【０００３】
この方法とは逆に、核酸プローブを固定化し、標的核酸と接触させることにより、標的核酸量を測定する方法も開発され、遺伝子解析や、遺伝子診断等に利用されてきている。また、Southern等は多数の核酸プローブをアレイ状に支持体に固定化したＤＮＡアレイを開発し、ガラス支持体上のＤＮＡがその相補的なＤＮＡと結合することを実証した。また、Affymax社は、Southernの考え方と、Photoresist法によるＤＮＡ固相合成技術の組み合わせによりＤＮＡアレイの高密度化技術の開発に成功し、GeneChipの形で商品化されるに至っている(S.  Fodor; Science 277, 393(1997)、Nature Genetics Supplement 21,20(1999))。
【０００４】
このように、ハイブリダイゼーションを用いるＤＮＡの検出方法は、大きく進歩してきている。しかしながら、上記した分析方法は、ｍＲＮＡ等の１本鎖核酸の検出には極めて有効であるものの、２本鎖核酸を検出するためには、ハイブリダイゼーション前に検体中の２本鎖核酸を熱変性し、１本鎖にするという煩雑な操作が必要となる。
【０００５】
例えば、分析の対象がゲノム中のＤＮＡである場合、対象ＤＮＡは２本鎖を形成している。例えば、P.N.Gillies等は電気アドレス法で(Nature Biotechnology,17,365(1999))、また、R.J.Cho等は高密度オリゴＤＮＡアレイにより(Nature Genetics 23,203(1999))、ＳＮＰの検出を行っている。しかし、いずれの場合も、ＤＮＡの測定のためには、検体中の標的ＤＮＡ部分をＰＣＲで増幅したのち、熱変性により１本鎖に変性するという煩雑な操作を行う必要がある。
【０００６】
一方、２本鎖ＤＮＡを検出する方法として、インターカレーターが知られている。特許第２５７３４４３号公報には、インターカレーターを用いるＤＮＡの検出方法が開示されているが、この方法でも、固定化されたＤＮＡと反応させるために２本鎖ＤＮＡを予め１本鎖に変性する必要があった。
【０００７】
上記欠点を改良する技術として、２本鎖核酸を直接検出する技術が開発された。（特願２０００−３２５１３６号）。この発明では支持体上に固定された２本鎖ＤＮＡ認識物質に検体を接触させ、該２本鎖ＤＮＡ認識物質と結合した２本鎖ＤＮＡを測定することにより、２本鎖ＤＮＡを変性することなくそのまま分析することが可能になることを見出している。しかしながら、この方法を用いても、反応時間をさらに短縮する必要が生じることがあった。
【０００８】
固定化された１本鎖ＤＮＡを溶液中の検体ＤＮＡと反応させるいわゆるＤＮＡハイブリダイゼーション法による検出法において、反応速度を促進する方法はすでに開発されている。例えば、反応場に電場をかけハイブリダイゼーション速度を促進できることは、米国特許４７８７９６３号明細書、国際公開ＷＯ９８／１０２７３号公報に開示されている。また、ポリエチレングリコールの添加も反応速度の促進に効果のあることも知られている。
しかしながら、２本鎖核酸を直接検出する反応を加速させる技術は開発されておらず、その開発が必要であった。
【０００９】
【発明が解決しようとする課題】
本発明は、上記従来技術の問題点を解消することを解決すべき課題とした。即ち、本発明は、２本鎖ＤＮＡを変性することなくそのまま分析するための方法において、その反応速度を促進する方法を提供することを課題とした。
本発明はまた、簡便かつ高感度かつ迅速な２本鎖ＤＮＡの分析方法を提供することを解決すべき課題とした。
【００１０】
さらに本発明は、短時間かつ高感度で、ある遺伝子およびその多型を検出する目的に利用できる２本鎖ＤＮＡの分析方法を提供することを解決すべき課題とした。
さらに本発明は、２本鎖認識物質周辺に移送された非特異吸着性２本鎖ＤＮＡを除去することにより、シグナル／ノイズ比を向上させる方法を提供することを解決すべき課題とした。
さらに本発明は、２本鎖認識物質との結合能力の弱い２本鎖ＤＮＡを、２本鎖ＤＮＡ認識物質より引き剥がすことによりＳＮＰ等の解析精度を向上させる方法を提供することを解決すべき課題とした。
【００１１】
【課題を解決するための手段】
本発明者らは上記課題を解決するために鋭意検討した結果、支持体上に固定された２本鎖ＤＮＡ認識物質に検体を接触させ、さらに該２本鎖ＤＮＡ認識物質が固定された支持体と検体を含む溶液との間に電場をかけることにより支持体上に固定された２本鎖ＤＮＡ認識物質と検体中の２本鎖ＤＮＡとの結合を促進し、その後に該２本鎖ＤＮＡ認識物質と結合した２本鎖ＤＮＡを測定することにより、２本鎖ＤＮＡを変性することなくそのまま、かつ反応速度を促進して、２本鎖ＤＮＡを分析することが可能になることを見出した。本発明はこれらの知見に基づいて完成したものである。
【００１２】
さらに本発明者らは、２本鎖ＤＮＡ認識物質と結合した２本鎖ＤＮＡの量は、ＤＮＡインターカレーターのような２本鎖挿入剤を用いることにより、高感度で検出することができることを見出した。
さらに本発明者らは、該２本鎖ＤＮＡ認識物質が固定された支持体と該検体との間に電場をかけて支持体上に固定された２本鎖ＤＮＡ認識物質と検体中の２本鎖ＤＮＡとの結合を促進した後に、上記電場とは逆向きの電場をかけることにより、非特異吸着ＤＮＡ及び２本鎖ＤＮＡ認識物質との結合が弱いＤＮＡを除去し、これによりシグナル／ノイズ比を向上できることも見出している。
【００１３】
即ち、本発明によれば、検体中の２本鎖ＤＮＡの分析方法であって、
（１）支持体上に固定された２本鎖ＤＮＡ認識物質と該検体とを接触させる工程、
（２）検体中の２本鎖ＤＮＡを支持体上に固定された２本鎖ＤＮＡ認識物質の方に向かわせるための電場を、該２本鎖ＤＮＡ認識物質が固定された支持体と該検体との間にかける工程、及び
（３）該２本鎖ＤＮＡ認識物質と結合した２本鎖ＤＮＡを測定する工程、
を含む上記の分析方法が提供される。
【００１４】
本発明の別の態様によれば、検体中の２本鎖ＤＮＡの分析方法であって、
（１）支持体上に固定された２本鎖ＤＮＡ認識物質と該検体とを接触させる工程、
（２）検体中の２本鎖ＤＮＡを支持体上に固定された２本鎖ＤＮＡ認識物質の方に向かわせるための電場を、該２本鎖ＤＮＡ認識物質が固定された支持体と該検体との間にかける工程、
（３）工程（２）における電場とは逆向きの電場をかける工程、及び
（４）該２本鎖ＤＮＡ認識物質と結合した２本鎖ＤＮＡを測定する工程、
を含む上記の分析方法が提供される。
【００１５】
好ましくは、２本鎖ＤＮＡ認識物質は２本鎖ＤＮＡ認識抗体、ＤＮＡ転写因子、Ｚｎフィンガーモチーフ又はリングフィンガーモチーフを有するタンパク質、あるいはペプチド核酸である。
【００１６】
好ましくは、該２本鎖ＤＮＡ認識物質と結合した２本鎖ＤＮＡを測定する工程においては、反応系にＤＮＡ２本鎖を認識する挿入剤を添加し、該２本鎖ＤＮＡに挿入された挿入剤を検出することにより、該検体中の該２本鎖ＤＮＡが測定される。
【００１７】
好ましくは、該挿入剤はＤＮＡインターカレーターである。
好ましくは、該ＤＮＡインターカレーターは電気化学的活性を有し、該ＤＮＡインターカレーターを電気化学的手法により検出することにより、該検体中の該２本鎖ＤＮＡが測定される。
好ましくは、ＤＮＡインターカレーターを、蛍光法、発光法または表面プラズモン法により検出する。
【００１８】
【発明の実施の形態】
以下、本発明の実施の形態について詳細に説明する。
本発明による検体中の２本鎖ＤＮＡの分析方法は、
（１）支持体上に固定された２本鎖ＤＮＡ認識物質と該検体とを接触させる工程、
（２）検体中の２本鎖ＤＮＡを支持体上に固定された２本鎖ＤＮＡ認識物質の方に向かわせるための電場を、該２本鎖ＤＮＡ認識物質が固定された支持体と該検体との間にかける工程、及び
（３）該２本鎖ＤＮＡ認識物質と結合した２本鎖ＤＮＡを測定する工程、
を含むことを特徴とする。
【００１９】
本明細書で言う「検体」の種類は２本鎖ＤＮＡを含むものであればその種類は特に制限されず、例えば、末梢静脈血のような血液、白血球、血清、尿、糞便、精液、唾液、培養細胞、各種臓器細胞のような組織細胞、その他核酸を含有する任意の試料を用いることができる。検体は上記のような組織細胞などの試料をそのまま使用してもよいが、好ましくは、検体試料中の細胞を破壊して２本鎖ＤＮＡを遊離させたものを検体として使用する。検体試料中の細胞の破壊は、常法により行うことができ、例えば、振とう、超音波等の物理的作用を外部から加えて行うことができる。また、核酸抽出溶液（例えば、ＳＤＳ、Triton-X、Tween-20等の界面活性剤、又はサポニン、ＥＤＴＡ、プロテア−ゼ等を含む溶液等）を用いて、細胞から核酸を遊離させることもできる。核酸抽出溶液を用いて核酸を溶出する場合には、３７℃以上の温度でインキュベ−トすることにより反応を促進することができる。
【００２０】
本発明では、支持体上に固定された２本鎖ＤＮＡ認識物質を使用する。本発明で用いる支持体としては、以下に説明する２本鎖ＤＮＡ認識物質を固定できるものであれば特に制限されない。好ましい支持体の例としては、ガラス、石英、プラスチック、電極等の非多孔性支持体を好ましく用いることができる。電極の材料としては、グラファイト、グラシーカーボン等の炭素電極、白金、金、パラジウム、ロジウム等の貴金属電極、酸化チタン、酸化スズ、酸化マンガン、酸化鉛等の酸化物電極、Ｓｉ、Ｇｅ、ＺｎＯ、ＣｄＳ等の半導体電極、チタンなどの電子伝導体を挙げることができるが、金もしくはグラシーカーボンを用いることが特に好ましい。これらの電子伝導体は、導電性高分子によって被覆されていても、単分子膜によって被覆されていてもよい。
また、ニトロセルロース膜、ナイロン膜、ＰＶＤＦ膜などの多孔性支持体を使用してもよく、非多孔性支持体と多孔性支持体の複合体を使用することもできる。
【００２１】
本発明で用いる２本鎖ＤＮＡ認識物質としては、２本鎖ＤＮＡを認識し、特異的に結合する物質を示す。２本鎖ＤＮＡ認識物質の具体例としては、ＤＮＡ転写因子、ミスマッチ修復タンパク質、２本鎖ＤＮＡ認識抗体、又はペプチド核酸などを挙げることができる。
【００２２】
ＤＮＡ転写因子は、遺伝子上のプロモーター領域に結合して、ＤＮＡからｍＲＮＡへの転写を制御する物質である（田村隆明著：転写因子（羊土社  １９９５年））。従って、転写因子は特定の配列の２本鎖ＤＮＡに特異的に結合することが知られている。
【００２３】
多数ある転写因子のうち、Zinc Finger ProteinつまりZinc FingerやRing Fingerモチーフをもつ転写因子群は、真核生物における出現率は非常に高く、ゲノム中の１％はこれをコードしているらしい。Pabo等はZinc Figerモチーフの３次構造を解析、ＤＮＡと結合するメカニズムの解明した（Science,252, 809(1991)）。さらに、Choo等は、遺伝子組換法により、特定の配列に結合する自然界にはないZinc Finger Protein群を作製することに成功している(Nature 372,642[1994],PNAS91,11163(1994))。さらに、Scripps Research InstituteのグループはPhage Displayにより新規なZinc Finger Protein群の作製に成功している（PNAS95,2812,[1998]：96,2758(1999)）。このように、Zinc Finger Proteinに代表されるＤＮＡ転写因子群は、本来２本鎖ＤＮＡと結合する性質をもっており、かつ近年の研究によれば、任意のＤＮＡ配列を認識する組換体の作製も可能となってきている。このような、タンパク質を固定化することにより、２本鎖ＤＮＡを効率良く支持体上に捕捉することが可能である。
【００２４】
ミスマッチ修復タンパク質とは、ＤＮＡ２本鎖の間に生じた不適正塩基対（不正またはミス対合）の修復を行う酵素である。例えば、大腸菌ＤＮＡポリメラーゼの場合、１０8塩基対に１箇所程度の頻度で鋳型ＤＮＡの塩基と対を成さないヌクレオチドを取り込むが、ミスマッチ修復酵素によりこれが修復される。ミスマッチ修復酵素は細胞内で複製直後のＤＮＡに結合して、ミスマッチ塩基対を含む部分のヌクレオチドを除去する。本発明ではミスマッチ修復タンパク質が２本鎖ＤＮＡに結合する性質を利用することにより、該タンパク質を２本鎖ＤＮＡ認識物質として使用することができる。
【００２５】
２本鎖ＤＮＡを認識する抗体が、全身性エリトマトーデスの患者血清中に出現することは良く知られている。抗体作製技術、遺伝子組換技術の進歩により、このような２本鎖ＤＮＡ認識モノクローナル抗体の作製が可能となってきている(Suzuki etal,Int J Mol Med 3,385,1999,Barry etal,J Biol Chem 269,3623(1994))。このような、２本鎖ＤＮＡ認識抗体は、本発明の２本鎖ＤＮＡ認識タンパク質として使用することができる。
【００２６】
ペプチド核酸は、ＤＮＡの骨格構造である糖、リン酸部分をポリアミド骨格で置き換えたもので、ＤＮＡ等と特異的にハイブリダイズし、２本鎖を形成することが知られている（P.E.Nielesen et al, Science, 254, 1497(1991)；遺伝子とバイオテクノロジー：杉本直己著  丸善株式会社刊、１９９９年）。ペプチド核酸は機能的にはＤＮＡと殆ど変わりがないが、その構造は全く異なり、ポリアミド骨格を基本としてその分子中に糖及びリン酸を含まない。さらに、ペプチド核酸は、ＤＮＡ−ＤＮＡ鎖内に入りこみ３重鎖を形成することが可能である。本発明ではペプチド核酸のこの性質を利用することにより、ペプチド核酸を２本鎖ＤＮＡ認識物質として使用することができる。
【００２７】
上記した２本鎖ＤＮＡ認識物質は、そのまま支持体上に固定化することができる。具体的には、２本鎖ＤＮＡ認識物質を含む溶液を支持体上に点着し、一定時間放置することにより、２本鎖ＤＮＡ認識物質を支持体上に固定化することができる。
【００２８】
本発明の方法は、（２）検体中の２本鎖ＤＮＡを支持体上に固定された２本鎖ＤＮＡ認識物質の方に向かわせるための電場を、該２本鎖ＤＮＡ認識物質が固定された支持体と該検体との間にかける工程、を含む。
【００２９】
電場をかける方法は特に限定されないが、検体中の２本鎖ＤＮＡを支持体上に固定された２本鎖ＤＮＡ認識物質の方に向かわせるような向きの電場をかけることが必要である。このような電場をかけることにより、支持体上に固定された２本鎖ＤＮＡ認識物質と検体中の２本鎖ＤＮＡとの結合が促進される。２本鎖ＤＮＡは通常マイナスの電荷を帯びていることから、２本鎖ＤＮＡ認識物質が固定された支持体側に陽極を設置するか、支持体自体を陽極とし、２本鎖ＤＮＡを含む検体（好ましくは、検体は溶液である）中に陰極を設置し、上記陽極と上記陰極の間に電場をかけることにより、支持体上に固定された２本鎖ＤＮＡ認識物質と検体中の２本鎖ＤＮＡとの結合を促進することができる。
【００３０】
検体中の２本鎖ＤＮＡを支持体上に固定された２本鎖ＤＮＡ認識物質の方に向かわせるための電場の電位差は０〜＋２Ｖの範囲（即ち、支持体側の方が検体液よりも０〜＋２Ｖ電位が高い）であることが好ましい。
本発明の好ましい実施態様の一つとしては、２本鎖ＤＮＡと結合する物質を固定化した電極を作成し、該電極と検体液を接触させ、その後、該電極と検体液の間に電場（電位差）をかける手法が挙げられる。
【００３１】
好ましい一態様によれば、本発明の方法は、
（１）支持体上に固定された２本鎖ＤＮＡ認識物質と該検体とを接触させる工程、
（２）検体中の２本鎖ＤＮＡを支持体上に固定された２本鎖ＤＮＡ認識物質の方に向かわせるための電場を、該２本鎖ＤＮＡ認識物質が固定された支持体と該検体との間にかける工程、及び
（３）工程（２）における電場とは逆向きの電場をかける工程、
を含む。
ここで工程（２）は上記と同様に行なうことができる。
【００３２】
工程（３）は、工程（２）における電場とは逆向きの電場をかける工程である。即ち、２本鎖ＤＮＡ認識物質が固定された支持体側に陰極を設置するか、または支持体自体を陰極とし、２本鎖ＤＮＡを含む検体（好ましくは、検体は溶液である）中に陽極を設置し、上記陽極と上記陰極の間に電場をかけることにより、支持体上に固定された２本鎖ＤＮＡ認識物質周辺の２本鎖ＤＮＡを支持体より除去することができる。このように、上記工程（３）を採用することにより、非特異吸着ＤＮＡ、及び２本鎖ＤＮＡ認識物質との結合が弱いＤＮＡを支持体より除去することができ、これによりシグナル／ノイズ比を向上させることができる。
【００３３】
逆向きの電位の電位差は０〜−２Ｖの範囲（即ち、該支持体側の方が検体液よりも０〜＋２Ｖ電位が低い）であることが好ましい。
本発明の好ましい実施態様の一つとしては、２本鎖ＤＮＡと結合する物質を固定化した電極を作成し、該電極と検体液を接触させ、その後、該電極と検体液の間に電位をかけ、さらにその後前記電位とは逆向きの電位をかけ、不必要なＤＮＡ分子を除く手法が挙げられる。
【００３４】
検体中の標的ＤＮＡは、ＰＣＲ法などで増幅することなく直接検出するのが好ましいが、予め増幅したのちに検出してもよい。
標的ＤＮＡまたはその増幅体は、予め標識しておくことにより容易に検出可能である。ＤＮＡを標識するには、酵素(Reverse Transcriptase,DNApolymerase RNAPolymerase,Terminaldeoxytransferaseなど)を用いる方法がよく用いられるが、化学反応により、直接標識物質を結合させてもよい。このような標識方法については、公知の技術として成書に記載されている（野村慎太郎著  脱アイソトープ実験プロトコール１、秀潤社１９９４年、脱アイソトープ実験プロトコール２、秀潤社１９９８年、村松正明著  ＤＮＡマイクロアレイと最新ＰＣＲ法標識物質  秀潤社２０００年）。標識物質は、検出可能なシグナルを作ることの可能な物質であることが好ましい。標識物質が、酵素や触媒のような、シグナルの増幅能力のある物質である場合、ＤＮＡの検出感度は大きく向上する。該標識物質はまた、ビオチン−アビジン、抗原−抗体、ハプテン−抗体のような特異結合対の片方であって、その結合相手を介して標識物質を標的ＤＮＡに結合させてもよい。
【００３５】
しかしながら、前述の標識操作は、一般的に煩雑であるので、さらに好ましい検出方法としては、検体中のＤＮＡを予め標識せずに測定する方法を挙げることができる。これには、例えば２本鎖ＤＮＡを認識するＤＮＡ挿入剤、いわゆるＤＮＡインターカレーターを用いることができる。ＤＮＡインターカレーターの使用により、検出操作が簡単になるだけではなく、検出感度も向上する。例えば、１０００ｂｐのＤＮＡを検出する場合、いわゆる標識法は多くとも数個の標識物質しか導入できないのであるが、インターカレーターを使用する場合は１００個以上の標識物質を導入することが可能である。
２本鎖ＤＮＡ挿入剤（ＤＮＡインターカレーター）は、検体である２本鎖ＤＮＡが支持体上の２本鎖ＤＮＡ認識物質と反応した後に添加してもよいし、同時に加えてもよい。
【００３６】
ＤＮＡインターカレーターは、そのもの自体が検出可能なシグナルを形成できる物質であってもよいが、その側鎖にシグナル形成物質を結合していたり、ビオチン−アビジン、抗原−抗体、ハプテン−抗体のような特異結合対を介してインターカレーターに結合していてもよい。
本発明における、検出可能なシグナルは、例えば、蛍光検出、発光検出、化学発光検出、生物発光検出、電気化学発光検出、放射能検出、電気化学検出、比色検出により検出可能なシグナルであることが好ましいが、これらに限定されるものではない。
【００３７】
好ましいＤＮＡインターカレーターの例として、蛍光性色素のようにインターカレーター自身がシグナル形成能力をもっていてもよいが、インターカレーターとシグナル形成物質との複合体であってもよい。インターカレーターとシグナル形成物質との複合体は、例えば、下記一般式（１）、（２）のようなものをあげることができる
一般式（１）  Ｘ−Ｌ１−Ｉ−Ｌ２−Ｙ
一般式（２）  Ｘ−Ｌ１−Ｉ
（一般式（１）、（２）において、Ｉは２本鎖ＤＮＡに挿入される物質を示し、Ｌ１，Ｌ２はリンカー配列を示し、Ｘ及びＹは、検出可能な分子を示す。）
【００３８】
一般式（１）及び（２）においてＩで示される２本鎖ＤＮＡに挿入される物質は、好ましくは、分子中にフェニル基等の平板状挿入基を有し、該挿入基が２本鎖ＤＮＡの塩基対と塩基対の間に介入することによって、２本鎖ＤＮＡと結合することができる物質を言う。
【００３９】
一般式（１）及び（２）においてＬ１，Ｌ２で示されるリンカー配列は特に限定されず、例えば、アルキレン基、−Ｏ−基、−ＣＯ−基、−ＮＨ−基又はこれらの組み合わせから成る基などを例示することができる。
【００４０】
一般式（１）及び（２）においてＸ，Ｙが示す検出可能な分子の具体例としては、Fluorescein、Rhodamin、Cy5、Cy3、Texas Red、ルテニウム錯体等に代表される蛍光色素団、ビオチン−アビジン、抗原−抗体、ハプテン−抗体のような特異結合対を形成する物質、フェロセン誘導体に代表される電気化学的検出可能な物質、ルシゲニン誘導体、ルミノール誘導体のような発光性の物質、またいわゆるＥＩＡ（酵素免疫測定法）で使用しているような酵素等を挙げることができる。
【００４１】
Ｘ，Ｙが特異結合対を形成する物質である場合、Ｘ，Ｙを介してFluorescein、Rhodamin、Cy5、Cy3、Texas Red、ルテニウム錯体等に代表される蛍光色素団、フェロセン誘導体に代表される電気化学的検出可能な物質、ルシゲニン誘導体、ルミノール誘導体のような発光性の物質、またいわゆるＥＩＡ（酵素免疫測定法）で使用しているような酵素等を結合させることができる。
【００４２】
本発明で用いる電気化学的、光化学的に活性な挿入剤は特に限定されるものではなく、例えばエチジウム、エチジウムブロマイド、アクリジン、アミノアクリジン、アクリジンオレンジ、ビスベンチミド、ジアミノフェニルインドール、プロフラビン、エリブチシン、アクチノマイシンＤ、チアゾール、クロモマイシン、ドーノマイシン、マイトマイシンＣ、並びにこれらの誘導体等を用いることができる。また、その他の使用可能な挿入剤としては、特開昭62-282599 号公報に記載されたものが挙げられる。
さらに本発明で用いることができる挿入剤の具体例を示す。
【００４３】
【化１】
0004040834.tif 000002
【００４４】
以下の実施例により本発明をさらに具体的に説明するが、本発明は実施例によって限定されることはない。
【００４５】
【実施例】
実施例１
（１）抗体の固定化
２本鎖認識抗体を含むＰＢＳ溶液（フナコシ社製、１μｇ／ｍｌ）１μｌを、表面にイオウ原子（Ｓ）を介してサクシイミド基を導入した、平板上に配置された、金電極（２．５ｍｍφ）に点着し、１２時間放置した。さらにこの金電極表面を、０．５ＭのGlycineホウ酸に３０分間浸漬したのちＰＢＳにより洗浄した。
【００４６】
（２）サンプルの調製
Human alpha 2-HS-glycoprotein（HSGP）の翻訳領域（ＯＲＦ）をpBluescriptIISK-のマルチクローニングサイトのNotI、XhoIサイト間にクローニングした。このベクターを鋳型にして、HSGP cDNAをＰＣＲ法により増幅した。
【００４７】
（３）反応
ＰＣＲで増幅したｃＤＮＡをＴＥに溶解し、０．１μＭ溶液を調製し、これをサンプルとした。
サンプルを１０μｌ上記の（１）で作製した２本鎖認識抗体固定化金電極表面に点着し、その後この金電極表面に１．５Ｖの電圧を印加し、１５分間放置後、ＴＥ溶液により洗浄した
【００４８】
（４）測定
さらに、この金電極をSybrGreen溶液（Molecular Probe社、１０００倍希釈ＴＥ溶液）に２０分間浸漬したのち、ＴＥにより洗浄した。洗浄済み金電極を風乾後、ＦＬＡ２０００（富士写真フイルム株式会社製）により６３３ｎｍ励起による蛍光強度を測定した。
【００４９】
（比較例１）
実施例１の（３）において、金電極表面に１．５Ｖの電圧を印加することを行わない以外は、同様にして蛍光強度を測定した。実施例１と比較例１の結果を以下に示す。
【００５０】
0004040834.tif 000003
（ＬＡＵは蛍光強度に比例する単位）
実施例１と比較例１との結果より、本発明の方法により、反応を促進して２本鎖ＤＮＡを検出できることが示された。
【００５１】
（実施例２）
（１）抗体の固定化、（２）サンプルの調製、（３）反応までは実施例１と同様に行った。その後、特願平１１−３４９２８６号に記載の方法で合成した、下記式で表される電気化学活性を有するインターカレーター（５０ｍＭ）を含む０．１Ｍ酢酸−酢酸カリウム水溶液（ｐＨ５．６）−０.１Ｍ塩化カリウム水溶液の混合液に、上記の（１）〜（３）までの操作を行った金電極（作用極）、白金（対極）および銀／塩化銀参照電極を浸漬して三極電極を形成させ、ＣＶ５０Ｗ（ＢＡＳ社製）を用いて、デファレンシャルパルスボンランメトリ−（ＤＰＶ）測定を行った。そして、そのＤＰＶより、印加電圧２６０ｍＶにおけるピ−ク電流値を求めた。
【００５２】
【化２】
0004040834.tif 000004
【００５３】
（比較例２）
実施例２において、金電極表面に１．５Ｖの電圧を印加することを行わない以外は、同様にしてＤＰＶ測定を行い、印加電圧２６０ｍＶにおけるピ−ク電流値を求めた。実施例２と比較例２の結果を以下に示す。
【００５４】
0004040834.tif 000005
（バックグラウンドは、サンプルを反応させる前の金電極でＤＰＶ測定した際のピ−ク電流）
実施例２と比較例２との結果より、本発明の方法により、反応を促進して２本鎖ＤＮＡを検出できることが示された。
【００５５】
【発明の効果】
本発明により、反応速度を促進して、２本鎖ＤＮＡを変性することなくそのまま分析することが可能になった。また本発明の方法によれば、簡便かつ迅速、高感度に２本鎖ＤＮＡを分析することができる。